(57)【要約】【課題】血液浄化装置の車両に対する搬入・搬出を、きわめて安全かつ容易に実現させることができる搬送具を提供する。【解決手段】底板部１１に接合された背板部１２と背板部１２に設けられた軸部１３とを有する装置載置部材１０と、装置載置部材１０の軸部１３を回動可能に支持する軸受部２２を有する脚部材２０と、を備える搬送具１である。装置載置部材１０は、底板部１１が床面Ｆに配置された際に背板部１２が略鉛直方向に延在し軸部１３が床面Ｆから所定高さの位置に配置された立位状態をとり、底板部１１に載置された立位状態の血液浄化装置を背板部１２に当接させる。脚部材２０は、立位状態の装置載置部材１０の背板部１２及び底板部１１を軸部１３を中心に一体的に回動させて横倒し状態とする一方、横倒し状態の装置載置部材１０の背板部１２及び底板部１１を軸部１３を中心に一体的に回動させて立位状態とする。【選択図】図２
2012081128.tif 000002
【特許請求の範囲】
【請求項１】
血液浄化装置を車両に対して搬入及び搬出するための搬送具であって、
底板部と、前記底板部に対して略垂直に接合された背板部と、前記背板部に取り付けられた軸部と、を有し、前記底板部が床面又は地面に配置された際に前記背板部が略鉛直方向に延在し前記軸部が床面又は地面から所定高さの位置に配置された立位状態をとり、かつ前記底板部に載置された立位状態の前記血液浄化装置を前記背板部に当接させることを可能とする装置載置部材と、
前記装置載置部材の前記軸部を分離可能及び回動可能に支持する軸受部を有し、立位状態の前記装置載置部材の前記背板部及び前記底板部を前記軸部を中心に一体的に回動させて横倒し状態とする一方、横倒し状態の前記装置載置部材の前記背板部及び前記底板部を前記軸部を中心に一体的に回動させて立位状態とすることを可能とする脚部材と、
を備えた、
搬送具。
【請求項２】
前記血液浄化装置は、底部にキャスタが設けられて立位状態で走行可能に構成され、
前記装置載置部材の前記底板部は、溝状のキャスタ走行部を有する、
請求項１に記載の搬送具。
【請求項３】
前記装置載置部材の背板部の少なくとも一部は、前記装置載置部材が横倒し状態とされた際に搬入のための車両の荷台に接触し、かつ前記車両の荷台との干渉を低減させるように、その頂部が背側に傾斜又は湾曲している、
請求項１又は２に記載の搬送具。
【請求項４】
前記装置載置部材の前記軸部は、前記背板部の左右側部から各々外方に延在するように略一直線上に設けられた左右一組の短柱部材から構成され、前記装置載置部材が立位状態とされた際に床面又は地面から所定の高さの位置で水平軸を形成し、
前記脚部材は、間隔をおいて配置された状態で立設された左右一組のフレーム部を有し、
前記脚部材の前記軸受部は、前記各フレーム部の上部に設けられて前記各短柱部材を支持する左右一組の軸受部材から構成され、
前記脚部材は、前記フレーム部同士を連結するように水平方向に配置されて前記軸受部材間の間隔を一定に維持する間隔維持部材を有する、
請求項１から３の何れか一項に記載の搬送具。
【請求項５】
前記血液浄化装置を前記装置載置部材の前記底板部に載置させ前記背板部に当接させた際に、前記血液浄化装置を前記装置載置部材に縛り付ける緊縛用バンドを備える、
請求項１から４の何れか一項に記載の搬送具。
【請求項６】
前記装置載置部材及び前記脚部材の少なくとも一部を折り畳み可能とする折り畳み機構を備える、
請求項１から５の何れか一項に記載の搬送具。
【請求項７】
前記折り畳み機構は、前記装置載置部材の背板部と、前記装置載置部材の前記背板部と前記底板部との接合部と、に配置され、
前記折り畳み機構で折り畳まれることにより、前記背板部は二つ折り状態とされ、かつ、この二つ折り状態とされた前記背板部と前記底板部とが略平行に配置された状態とされる、
請求項６に記載の搬送具。
【請求項８】
前記折り畳み機構は、前記脚部材に配置され、
前記折り畳み機構で折り畳まれることにより、前記脚部材はその容積が縮小された状態となる、
請求項６又は７に記載の搬送具。
【請求項９】
前記装置載置部材の前記底板部は、立位状態の前記装置載置部材を前記軸部を中心に一体的に回動させて横倒し状態とする際又は横倒し状態の前記装置載置部材を前記軸部を中心に一体的に回動させて立位状態とする際に使用者によって把持される把持部を有する、
請求項１から８の何れか一項に記載の搬送具。
【請求項１０】
前記把持部は、前記底板部の裏面に配置されている、
請求項９に記載の搬送具。
【請求項１１】
前記装置載置部材の前記背板部と前記底板部との接合部付近に、前記軸部を中心に一体的に回動させる際に床面又は地面との干渉を低減させるような切欠き部が形成されてなる、
請求項１から１０の何れか一項に記載の搬送具。
【請求項１２】
請求項１から１１の何れか一項に記載の搬送具を用いて血液浄化装置を車両に搬入する方法であって、
立位状態の前記装置載置部材の前記軸部を前記脚部材の前記軸受部に支持させて搬送具を組み立てる搬送具組立工程と、
立位状態の前記血液浄化装置を前記装置載置部材の前記底板部に載置させるとともに前記背板部に当接させる装置載置工程と、
立位状態の前記装置載置部材の前記背板部及び前記底板部を前記軸部を中心に一体的に回動させて前記装置載置部材及び前記血液浄化装置を横倒し状態とする回動工程と、
横倒し状態の前記装置載置部材の前記背板部の頂部を前記車両の荷台に当接させ、前記頂部を支点として前記装置載置部材の前記底板部を上方に持ち上げて前記装置載置部材の前記軸部を前記脚部材の前記軸受部から分離させ、前記装置載置部材及び前記血液浄化装置を一体的に前記車両の内部に押し込む搬入工程と、を備える、
血液浄化装置の搬入方法。
【請求項１３】
請求項１から１１の何れか一項に記載の搬送具を用いて血液浄化装置を車両から搬出する方法であって、
前記脚部材を車両から搬出して床面又は地面に配置する脚部材配置工程と、
横倒し状態の前記血液浄化装置とともに前記車両から前記装置載置部材を引き出し、前記脚部材の前記軸受部に前記装置載置部材の前記軸部を支持させる軸部支持工程と、
横倒し状態の前記装置載置部材の前記背板部及び前記底板部を前記軸部を中心に一体的に回動させて前記血液浄化装置を立位状態とするとともに前記底板部を床面又は地面に着地させる回動工程と、
前記装置載置部材の前記底板部に載置されている立位状態の前記血液浄化装置を床面又は地面へと引き出す搬出工程と、を備える、
血液浄化装置の搬出方法。
【請求項１４】
血液浄化装置を車両に対して搬入及び搬出するための搬送具であって、
底板部と、前記底板部に対して略垂直に接合された背板部と、前記背板部に設けられた軸受部と、を有し、前記底板部が床面又は地面に配置された際に前記背板部が略鉛直方向に延在し前記軸受部が床面又は地面から所定高さの位置に配置された立位状態をとり、かつ前記底板部に載置された立位状態の前記血液浄化装置を前記背板部に当接させることを可能とする装置載置部材と、
前記装置載置部材の前記軸受部を分離可能及び回動可能に支持する軸部を有し、立位状態の前記装置載置部材の前記背板部及び前記底板部を前記軸部を中心に一体的に回動させて横倒し状態とする一方、横倒し状態の前記装置載置部材の前記背板部及び前記底板部を前記軸部を中心に一体的に回動させて立位状態とすることを可能とする脚部材と、
を備えた、
搬送具。
【請求項１５】
前記血液浄化装置は、底部にキャスタが設けられて立位状態で走行可能に構成され、
前記装置載置部材の前記底板部は、溝状のキャスタ走行部を有する、
請求項１４に記載の搬送具。
【請求項１６】
前記装置載置部材の背板部の少なくとも一部は、前記装置載置部材が横倒し状態とされた際に搬入のための車両の荷台に接触し、かつ前記車両の荷台との干渉を低減させるように、その頂部が背側に傾斜又は湾曲している、
請求項１４又は１５に記載の搬送具。
【請求項１７】
前記脚部材は、間隔をおいて配置された状態で立設された左右一組のフレーム部を有し、
前記脚部材の前記軸部は、前記各フレーム部の上部から各々左右外方に延在するように略一直線上に設けられた左右一組の短柱部材から構成され、前記脚部材が床面又は地面に設置された際に床面又は地面から所定の高さの位置で水平軸を形成し、
前記装置載置部材の前記軸受部は、前記背板部の左右側部に設けられて前記各短柱部材によって支持される左右一組の軸受部材から構成される、
請求項１４から１６の何れか一項に記載の搬送具。
【請求項１８】
前記血液浄化装置を前記装置載置部材の前記底板部に載置させ前記背板部に当接させた際に、前記血液浄化装置を前記装置載置部材に縛り付ける緊縛用バンドを備える、
請求項１４から１７の何れか一項に記載の搬送具。
【請求項１９】
前記装置載置部材及び前記脚部材の少なくとも一部を折り畳み可能とする折り畳み機構を備える、
請求項１４から１８の何れか一項に記載の搬送具。
【請求項２０】
前記折り畳み機構は、前記装置載置部材の背板部と、前記装置載置部材の前記背板部と前記底板部との接合部と、に配置され、
前記折り畳み機構で折り畳まれることにより、前記背板部は二つ折り状態とされ、かつ、この二つ折り状態とされた前記背板部と前記底板部とが略平行に配置された状態とされる、
請求項１９に記載の搬送具。
【請求項２１】
前記折り畳み機構は、前記脚部材に配置され、
前記折り畳み機構で折り畳まれることにより、前記脚部材はその容積が縮小された状態となる、
請求項１９又は２０に記載の搬送具。
【請求項２２】
前記装置載置部材の前記底板部は、立位状態の前記装置載置部材を前記軸部を中心に一体的に回動させて横倒し状態とする際又は横倒し状態の前記装置載置部材を前記軸部を中心に一体的に回動させて立位状態とする際に使用者によって把持される把持部を有する、
請求項１４から２１の何れか一項に記載の搬送具。
【請求項２３】
前記把持部は、前記底板部の裏面に配置されている、
請求項２２に記載の搬送具。
【請求項２４】
前記装置載置部材の前記背板部と前記底板部との接合部付近に、前記軸部を中心に一体的に回動させる際に床面又は地面との干渉を低減させるような切欠き部が形成されてなる、
請求項１４から２３の何れか一項に記載の搬送具。
【請求項２５】
請求項１４から２４の何れか一項に記載の搬送具を用いて血液浄化装置を車両に搬入する方法であって、
立位状態の前記装置載置部材の前記軸受部を前記脚部材の前記軸部に支持させて搬送具を組み立てる搬送具組立工程と、
立位状態の前記血液浄化装置を前記装置載置部材の前記底板部に載置させるとともに前記背板部に当接させる装置載置工程と、
立位状態の前記装置載置部材の前記背板部及び前記底板部を前記軸部を中心に一体的に回動させて前記装置載置部材及び前記血液浄化装置を横倒し状態とする回動工程と、
横倒し状態の前記装置載置部材の前記背板部の頂部を前記車両の荷台に当接させ、前記頂部を支点として前記装置載置部材の前記底板部を上方に持ち上げて前記装置載置部材の前記軸受部を前記脚部材の前記軸部から分離させ、前記装置載置部材及び前記血液浄化装置を一体的に前記車両の内部に押し込む搬入工程と、を備える、
血液浄化装置の搬入方法。
【請求項２６】
請求項１４から２４の何れか一項に記載の搬送具を用いて血液浄化装置を車両から搬出する方法であって、
前記脚部材を車両から搬出して床面又は地面に配置する脚部材配置工程と、
横倒し状態の前記血液浄化装置とともに前記車両から前記装置載置部材を引き出し、前記脚部材の前記軸部に前記装置載置部材の前記軸受部を支持させる軸受部支持工程と、
横倒し状態の前記装置載置部材の前記背板部及び前記底板部を前記軸部を中心に一体的に回動させて前記血液浄化装置を立位状態とするとともに前記底板部を床面又は地面に着地させる回動工程と、
前記装置載置部材の前記底板部に載置されている立位状態の前記血液浄化装置を床面又は地面へと引き出す搬出工程と、を備える、
血液浄化装置の搬出方法。
【発明の詳細な説明】
【技術分野】
【０００１】
本発明は、血液浄化装置の搬入・搬出方法及び搬送具に関する。
【背景技術】
【０００２】
現在、患者の体内から血液を取り出しこの血液から病因物質や特定の白血球等を除去して体内に戻す血液浄化治療が実施されている。このような血液浄化治療においては、体内から取り出した血液を循環させて体内に戻すための血液回路と、特定の物質を除去・分離する吸着材や分離材等の処理材を有する血液処理器と、を備える血液浄化装置が使用されている（例えば、特許文献１参照）。血液浄化装置は、看護師によって操作されるものであるため、成人の身長に対応するような鉛直方向に長い縦長の構造を有しており、操作部や表示部が比較的高い位置に配置されている。
【０００３】
ところで、近年においては、このような血液浄化治療のデモンストレーション等を実施する目的で、血液浄化装置を車両に搬入して搬送した後、顧客先で搬出する機会が生じている。従来は、血液浄化装置を車両に搬入する際に、図１４に示すような簡易な構造を有する車載治具１００を図１５に示すように血液浄化装置２００に装着し、血液浄化装置２００を徐々に傾けて車載治具１００の車輪１１０を車両の荷台に当接させながら、血液浄化装置２００を荷台に押し込む、という方法を採用していた。
【先行技術文献】
【特許文献】
【０００４】
【特許文献１】特開２００９−２７３６６２号公報
【発明の概要】
【発明が解決しようとする課題】
【０００５】
しかし、現在使用されている血液浄化装置は、その構造上の特性から比較的重量が大きく高い重心を有しているため、前記したような従来の車載治具を使用しても車両に対する搬入・搬出は容易ではなく、特に血液浄化装置を傾ける際に使用者に過大な負荷がかかっていた。このため、状況によっては血液浄化装置が転倒するリスクもあり、早急な改善が要求されていた。
【０００６】
本発明は、かかる事情に鑑みてなされたものであり、比較的重量が大きく高重心の血液浄化装置の車両に対する搬入・搬出を、きわめて安全かつ容易に実現させることができる搬送具を提供するとともに、この搬送具を用いた血液浄化装置の搬入・搬出方法を提供することを目的とする。
【課題を解決するための手段】
【０００７】
前記目的を達成するため、本発明に係る第一の搬送具は、血液浄化装置を車両に対して搬入及び搬出するための搬送具であって：底板部と、この底板部に対して略垂直に接合された背板部と、この背板部に取り付けられた軸部と、を有し、底板部が床面又は地面に配置された際に背板部が略鉛直方向に延在し軸部が床面又は地面から所定高さの位置に配置された立位状態をとり、かつ底板部に載置された立位状態の血液浄化装置を背板部に当接させることを可能とする装置載置部材と；装置載置部材の軸部を分離可能及び回動可能に支持する軸受部を有し、立位状態の装置載置部材の背板部及び底板部を軸部を中心に一体的に回動させて横倒し状態とする一方、横倒し状態の装置載置部材の背板部及び底板部を軸部を中心に一体的に回動させて立位状態とすることを可能とする脚部材と；を備えたものである。
【０００８】
また、本発明に係る第二の搬送具は、血液浄化装置を車両に対して搬入及び搬出するための搬送具であって：底板部と、底板部に対して略垂直に接合された背板部と、背板部に設けられた軸受部と、を有し、底板部が床面又は地面に配置された際に背板部が略鉛直方向に延在し軸受部が床面又は地面から所定高さの位置に配置された立位状態をとり、かつ底板部に載置された立位状態の血液浄化装置を背板部に当接させることを可能とする装置載置部材と；装置載置部材の軸受部を分離可能及び回動可能に支持する軸部を有し、立位状態の装置載置部材の背板部及び底板部を軸部を中心に一体的に回動させて横倒し状態とする一方、横倒し状態の装置載置部材の背板部及び底板部を軸部を中心に一体的に回動させて立位状態とすることを可能とする脚部材と；を備えたものである。
【０００９】
かかる構成を採用すると、比較的重量の大きい（例えば７０ｋｇ〜８０ｋｇ程度の）血液浄化装置の車両に対する搬入・搬出を、きわめて安全かつ容易に実現させることができる。
【００１０】
血液浄化装置を車両に搬入する際には、立位状態の装置載置部材の軸部（軸受部）を脚部材の軸受部（軸部）に支持させて搬送具を組み立てた後、立位状態の血液浄化装置を装置載置部材の底板部に乗り上げ（載置）させるとともに背板部に当接させ、軸部を中心に装置載置部材の背板部及び底板部を一体的に回動させて立位状態の血液浄化装置を横倒し状態とする。この際、大重量の血液浄化装置を脚部材で支持しながら梃子の原理で簡単に傾けて横倒しにすることができるので、使用者への負荷が軽減される。次いで、横倒し状態の装置載置部材の背板部の頂部を車両の荷台に当接させ、この頂部を支点として装置載置部材の底板部を上方に持ち上げて装置載置部材の軸部（軸受部）を脚部材の軸受部（軸部）から分離させ、装置載置部材及び血液浄化装置を一体的にスライドさせて車両の内部に押し込む。続いて、脚部材を車両に別途搬入する。このようにして、血液浄化装置を安全かつ容易に車両に搬入することができる。
【００１１】
一方、血液浄化装置を車両から搬出する際には、脚部材を車両から取り出して床面又は地面に設置し、横倒し状態の血液浄化装置とともに車両から装置載置部材を引き出し、脚部材の軸受部（軸部）に装置載置部材の軸部（軸受部）を支持させる。この際、大重量の血液浄化装置を脚部材によって支持させることができるので、使用者への負荷が軽減される。次いで、横倒し状態の装置載置部材の背板部及び底板部を軸部を中心に一体的に回動させて横倒し状態の血液浄化装置を立位状態とするとともに底板部を床面又は地面に着地させる。続いて、装置載置部材の底板部に載置されている立位状態の血液浄化装置を床面又は地面へと引き出す。このようにして、血液浄化装置を安全かつ容易に車両から搬出することができる。
【００１２】
ここで、血液浄化装置の底部にキャスタが設けられ、血液浄化装置が立位状態で走行可能に構成されている場合には、前記搬送具の装置載置部材の底板部に溝状のキャスタ走行部を設けることが好ましい。
【００１３】
かかる構成を採用すると、装置載置部材の底板部に立位状態の血液浄化装置を乗り上げ（載置）させる際に、底板部に設けられた溝状のキャスタ走行部によって血液浄化装置のキャスタの走行状態を安定させることができる。また、乗り上げ（載置）後においても溝状のキャスタ走行部により、血液浄化装置のキャスタの横移動が阻止される。この結果、立位状態の血液浄化装置を、装置載置部材の底板部に安定した状態で乗せ続けることができる。
【００１４】
また、前記搬送具において、装置載置部材の背板部の少なくとも一部は、装置載置部材が横倒し状態とされた際に搬入のための車両の荷台に接触し、かつ車両の荷台との干渉を低減させるように、その頂部が背側に傾斜又は湾曲していることが好ましい。
【００１５】
かかる構成を採用すると、血液浄化装置の搬入時に、装置載置部材の背板部が車両の荷台に引っ掛かることを防止することができ、血液浄化装置及び装置載置部材を車両の荷台上で容易にスライドさせることが可能となる。
【００１６】
また、前記搬送具において、血液浄化装置を装置載置部材の底板部に載置させ背板部に当接させた際に、血液浄化装置を装置載置部材に縛り付ける緊縛用バンドを備えることもできる。
【００１７】
かかる構成を採用すると、緊縛用バンドを用いて装置載置部材に血液浄化装置を縛り付けることができるので、立位状態から横倒し状態への移行時や横倒し状態から立位状態への移行時において、血液浄化装置が装置載置部材から離れて落下したり転倒したりすることを防止することができる。
【００１８】
また、前記搬送具において、装置載置部材及び脚部材の少なくとも一部を折り畳み可能とする折り畳み機構を備えることもできる。例えば、装置載置部材の背板部と、装置載置部材の背板部と底板部との接合部と、に折り畳み機構を配置し、折り畳み機構で折り畳むことにより、背板部を二つ折り状態とし、かつ、二つ折り状態とされた背板部と底板部とが略平行になるようにすることができる。また、脚部材に折り畳み機構を配置し、折り畳み機構で折り畳むことにより、脚部材の容積を縮小することもできる。
【００１９】
また、前記搬送具において、装置載置部材の底板部に、立位状態の装置載置部材を軸部を中心に一体的に回動させて横倒し状態とする際又は横倒し状態の装置載置部材を軸部を中心に一体的に回動させて立位状態とする際に使用者によって把持される把持部を設けることができる。そして、この把持部を底板部の裏面に配置することができる。
【００２０】
また、前記搬送具において、装置載置部材の背板部と底板部との接合部付近に、軸部を中心に一体的に回動させる際に床面又は地面との干渉を低減させるような切欠き部を形成することが好ましい。
【００２１】
また、前記第一の搬送具において、装置載置部材の軸部を、背板部の左右側部から各々外方に延在するように略一直線上に設けられた左右一組の短柱部材から構成し、装置載置部材が立位状態とされた際に床面又は地面から所定の高さの位置で水平軸を形成することができる。かかる場合には、間隔をおいて配置された状態で立設された左右一組のフレーム部を有する脚部材を採用し、脚部材の軸受部を、各フレーム部の上部に設けられて各短柱部材を支持する左右一組の軸受部材から構成することができる。そして、脚部材のフレーム部同士を連結するように水平方向に配置されて軸受部材間の間隔を一定に維持する間隔維持部材を採用することができる。
【００２２】
かかる構成を採用すると、脚部材の軸受部を構成する左右一対の軸受部材間の間隔を、間隔維持部材により一定に維持することができる。従って、装置載置部材の軸部（左右一対の短柱部材）を脚部材の軸受部（左右一対の軸受部材）で安定的に支持することが可能となる。
【００２３】
また、前記第二の搬送具において、間隔をおいて配置された状態で立設された左右一組のフレーム部を有する脚部材を採用し、脚部材の軸部を、各フレーム部の上部から各々左右外方に延在するように略一直線上に設けられた左右一組の短柱部材から構成し、脚部材が床面又は地面に設置された際に床面又は地面から所定の高さの位置で水平軸を形成することができる。かかる場合には、装置載置部材の軸受部を、背板部の左右側部に設けられて各短柱部材によって支持される左右一組の軸受部材から構成することができる。
【００２４】
また、本発明に係る第一の搬入方法は、前記第一の搬送具を用いて血液浄化装置を車両に搬入する方法であって、立位状態の装置載置部材の軸部を脚部材の軸受部に支持させて搬送具を組み立てる搬送具組立工程と、立位状態の血液浄化装置を装置載置部材の底板部に載置させるとともに背板部に当接させる装置載置工程と、立位状態の装置載置部材の背板部及び底板部を軸部を中心に一体的に回動させて装置載置部材及び血液浄化装置を横倒し状態とする回動工程と、横倒し状態の装置載置部材の背板部の頂部を車両の荷台に当接させ、頂部を支点として装置載置部材の底板部を上方に持ち上げて装置載置部材の軸部を脚部材の軸受部から分離させ、装置載置部材及び血液浄化装置を一体的に車両の内部に押し込む搬入工程と、を備えるものである。
【００２５】
また、本発明に係る第一の搬出方法は、前記第一の搬送具を用いて血液浄化装置を車両から搬出する方法であって、脚部材を車両から搬出して床面又は地面に配置する脚部材配置工程と、横倒し状態の血液浄化装置とともに車両から装置載置部材を引き出し、脚部材の軸受部に装置載置部材の軸部を支持させる軸部支持工程と、横倒し状態の装置載置部材の背板部及び底板部を軸部を中心に一体的に回動させて血液浄化装置を立位状態とするとともに底板部を床面又は地面に着地させる回動工程と、装置載置部材の底板部に乗り上げている立位状態の血液浄化装置を床面又は地面へと引き出す搬出工程と、を備えるものである。
【００２６】
また、本発明に係る第二の搬入方法は、前記第二の搬送具を用いて血液浄化装置を車両に搬入する方法であって、立位状態の装置載置部材の軸受部を脚部材の軸部に支持させて搬送具を組み立てる搬送具組立工程と、立位状態の血液浄化装置を装置載置部材の底板部に載置させるとともに背板部に当接させる装置載置工程と、立位状態の装置載置部材の背板部及び底板部を軸部を中心に一体的に回動させて装置載置部材及び血液浄化装置を横倒し状態とする回動工程と、横倒し状態の装置載置部材の背板部の頂部を車両の荷台に当接させ、頂部を支点として装置載置部材の底板部を上方に持ち上げて装置載置部材の軸受部を脚部材の軸部から分離させ、装置載置部材及び血液浄化装置を一体的に車両の内部に押し込む搬入工程と、を備えるものである。
【００２７】
また、本発明に係る第二の搬出方法は、前記第二の搬送具を用いて血液浄化装置を車両から搬出する方法であって、脚部材を車両から搬出して床面又は地面に配置する脚部材配置工程と、横倒し状態の血液浄化装置とともに車両から装置載置部材を引き出し、脚部材の軸部に装置載置部材の軸受部を支持させる軸受部支持工程と、横倒し状態の装置載置部材の背板部及び底板部を軸部を中心に一体的に回動させて血液浄化装置を立位状態とするとともに底板部を床面又は地面に着地させる回動工程と、装置載置部材の底板部に載置されている立位状態の血液浄化装置を床面又は地面へと引き出す搬出工程と、を備えるものである。
【発明の効果】
【００２８】
本発明によれば、比較的重量が大きく高重心の血液浄化装置の車両に対する搬入・搬出を、きわめて安全かつ容易に実現させることができる搬送具を提供するとともに、この搬送具を用いた血液浄化装置の搬入・搬出方法を提供することが可能となる。
【図面の簡単な説明】
【００２９】
【図１】本発明の第一実施形態に係る搬送具（組み立てた状態）を示す説明図である。
【図２】図１に示す搬送具を分解した状態を示す説明図である。
【図３】図１に示す搬送具を構成する装置載置部材を示すものであり、（Ａ）は正面図、（Ｂ）は側面図である。
【図４】図１に示す搬送具を構成する脚部材を示すものであり、（Ａ）は正面図、（Ｂ）は側面図である。
【図５】図１に示す搬送具の装置載置部材に血液浄化装置を載置した状態を示す説明図である。
【図６】図５の状態から装置載置部材を回動させた状態を示す動作説明図である。
【図７】図６の状態から装置載置部材をさらに回動させて血液浄化装置を横倒しにした状態を示す動作説明図である。
【図８】横倒し状態にした血液浄化装置を装置載置部材とともに車両に搬入している状態を示す説明図である。
【図９】本発明の第二実施形態に係る搬送具（組み立てた状態）を示すものであり、（Ａ）は正面図、（Ｂ）は側面図である。
【図１０】図９に示す搬送具を構成する装置載置部材を示すものであり、（Ａ）は正面図、（Ｂ）は側面図である。
【図１１】図９に示す搬送具を構成する脚部材を示すものであり、（Ａ）は正面図、（Ｂ）は側面図、（Ｃ）は一部平面図である。
【図１２】図９に示す搬送具の装置載置部材を回動させた状態を示す動作説明図である。
【図１３】（Ａ）は図１０に示す装置載置部材を折り畳んだ状態を示す側面図、（Ｂ）は図１１に示す脚部材を折り畳んだ状態を示す平面図、（Ｃ）は図１１に示す脚部材を折り畳んだ状態を示す正面図である。
【図１４】従来の車載治具の斜視図である。
【図１５】従来の車載治具を血液浄化装置に装着した状態を示す斜視図である。
【発明を実施するための形態】
【００３０】
以下、図面を参照して、本発明の実施形態に係る搬送具について説明する。以下の各実施形態に係る搬送具は、血液浄化装置を車両に搬入したり車両から搬出したりする際に使用されるものである。なお、本実施形態に係る搬送具で搬入・搬出される血液浄化装置２００（図５、図８等参照）は、看護師によって使用されることを想定して鉛直方向に長い縦長の構造とされ比較的高い重心を有するとともに７０ｋｇ〜８０ｋｇと比較的大きい重量を有するものであって、底部にはキャスタ２１０が設けられて立位状態で走行可能に構成されている。
【００３１】
＜第一実施形態＞
最初に、図１〜８を用いて、本発明の第一実施形態に係る搬送具１について説明する。まず、本実施形態に係る搬送具１の構成について説明する。本実施形態に係る搬送具１は、図１、図２、図５等に示すように、血液浄化装置２００を載置させる装置載置部材１０と、装置載置部材１０を回動自在に支持する脚部材２０と、を備えている。
【００３２】
装置載置部材１０は、図２及び図３に示すように、底板部１１と、底板部１１に対して略垂直に剛接合された背板部１２と、背板部１２に取り付けられた軸部１３（左右一組の短柱部材１３ａ、１３ｂ）と、を有している。装置載置部材１０は、図２に示すように底板部１１が床面Ｆに配置された際に背板部１２が略鉛直方向に延在し軸部が床面Ｆから所定高さの位置に配置された立位状態をとる。そして、装置載置部材１０は、このような立位状態をとるときに、図５に示すように底板部１１に載置された立位状態の血液浄化装置２００を背板部１２に当接させることを可能とする。
【００３３】
装置載置部材１０の底板部１１は、板状部材にプレス成形等を施して構成したものであり、平面視で略矩形状に形成されている。底板部１１には、血液浄化装置２００のキャスタ２１０を乗り上げ（載置）させる左右一組の平行な溝状のキャスタ走行部１１ａ、１１ｂを有している。底板部１１に立位状態の血液浄化装置２００を乗り上げさせる際に、かかるキャスタ走行部１１ａ、１１ｂによって血液浄化装置２００のキャスタ２１０の走行状態を安定させることができる。また、乗り上げ後においてもキャスタ走行部１１ａ、１１ｂにより、血液浄化装置２００のキャスタ２１０の横移動が阻止される。この結果、立位状態の血液浄化装置２００を底板部１１に安定した状態で乗せ続けることができる。底板部１１は、アルミニウム等の金属材料や樹脂材料から構成することができる。
【００３４】
装置載置部材１０の背板部１２は、図２に示すように、１本の管状部材を逆Ｕ字状に折曲して構成したフレーム部１２ａと、フレーム部１２ａを構成する相互に平行な２つの直線状部分１２ａＬに掛け渡される複数（４枚）の板状部１２ｂと、を有している。背板部１２を構成するフレーム部１２ａ及び板状部１２ｂは、アルミニウム等の金属材料や樹脂材料から構成することができる。フレーム部１２ａの両端部は底板部１１に剛接合されており、フレーム部１２ａを構成する２つの直線状部分１２ａＬが底板部１１に対して略垂直に配置され、２つの直線状部分１２ａＬの間に位置する湾曲状部分１２ａＣが底板部１１から最も離隔した頂部となっている。
【００３５】
背板部１２のフレーム部１２ａの湾曲状部分１２ａＣは、図３（Ｂ）に示すように、若干内側（底板部１１側）に傾斜している。これにより、装置載置部材１０が横倒し状態とされた際に背板部１２のフレーム１２ａの湾曲状部分１２ａＣが車両の荷台に接触し、装置載置部材１０を血液浄化装置２００とともに車両の内部に押し込む際に荷台との干渉を低減させることができる。なお、本実施形態においては、図２及び図３（Ａ）に示すように、４枚の板状部１２ｂを採用した例を示したが、面積の広い１枚の板状部材を採用することもできる。
【００３６】
装置載置部材１０の軸部１３となる短柱部材１３ａ、１３ｂは、図２及び図３（Ａ）に示すように、背板部１２を構成するフレーム部１２ａの２つの直線状部分の側部（左右側部）から各々外方に延在するように略一直線上に設けられている。軸部（短柱部材１３ａ、１３ｂ）は、装置載置部材１０が立位状態とされた際に床面Ｆから所定の高さの位置で水平軸ＡHを形成する。
【００３７】
脚部材２０は、図２及び図４に示すように、１本の管状部材を折曲して正面視平面視略Ｕ字状・側面視略三角形状に構成されており、間隔をおいて相互に平行に配置された三角形状の左右一組のフレーム部２０ａ、２０ｂを有している。折曲された１本の管状部材の両端部は、長尺幅狭の板状部材２１によって連結されている。各フレーム部２０ａ、２０ｂの上部（頂部）には、装置載置部材１０の軸部１３（左右一組の短柱部材１３ａ、１３ｂ）を分離可能及び回動可能に支持する軸受部２２（左右一組の軸受部材２２ａ、２２ｂ）が設けられている。
【００３８】
脚部材２０は、図１に示すように、立位状態の装置載置部材１０の軸部１３を軸受部２２で支持する。そして、脚部材２０は、図６に示すように、立位状態の装置載置部材１０の背板部１２及び底板部１１を軸部１３を中心に一体的に回動させて横倒し状態とする一方、横倒し状態の装置載置部材１０の背板部１２及び底板部１１を軸部１３を中心に一体的に回動させて立位状態とすることを可能とする。
【００３９】
脚部材２０は、左右のフレーム部２０ａ、２０ｂ同士を連結するように水平方向に配置されて左右一組の軸受部材２２ａ、２２ｂ間の間隔を一定に維持する間隔維持部材２３を有している。間隔維持部材２３は、金属等の剛性を有する材料で構成された直線状の管状部材であり、その両端部には、各フレーム部２０ａ、２０ｂの上部付近に設けられた凸部に嵌合する凹部が設けられている。各フレーム部２０ａ、２０ｂの凸部に、間隔維持部材２３の両端部に設けられた凹部を嵌合させることにより、各フレーム部２０ａ、２０ｂの上部間の間隔（左右一組の軸受部材２２ａ、２２ｂ間の間隔）が間隔維持部材２３の剛性により維持されることとなる。なお、各フレーム部２０ａ、２０ｂの上部付近に凹部を設け、間隔維持部材２３の両端部に凸部を設けて両者を嵌合させることもできる。
【００４０】
次に、本実施形態に係る搬送具１を用いて、血液浄化装置２００を車両に搬入する方法について説明する。
【００４１】
まず、図１に示すように、立位状態の装置載置部材１０の軸部１３（左右一組の短柱部材１３ａ、１３ｂ）を、脚部材２０の軸受部２２（左右一組の軸受部材２２ａ、２２ｂ）に支持させて搬送具１を組み立てる（搬送具組立工程）。そして、図５に示すように、立位状態の血液浄化装置２００を、装置載置部材１０の底板部１１に乗り上げ（載置）させるとともに背板部１２に当接させる（装置載置工程）。装置載置工程においては、緊縛用バンド等を用いて、血液浄化装置２００を装置載置部材１０に縛り付けて固定することが好ましい。
【００４２】
次いで、図６及び図７に示すように、立位状態の装置載置部材１０の背板部１２及び底板部１１を軸部１３を中心に一体的に回動させて装置載置部材１０及び血液浄化装置２００を横倒し状態とする（回動工程）。続いて、図８に示すように、横倒し状態の装置載置部材１０の背板部１２の頂部（フレーム部１２ａの湾曲状部分１２ａＣ）を車両の荷台Ｔに当接させ、頂部を支点として装置載置部材１０の底板部１１を上方に持ち上げて装置載置部材１０の軸部１３を脚部材２０の軸受部２２から分離させ、装置載置部材１０及び血液浄化装置２００を一体的に車両の内部に押し込む。その後、別途脚部材２０を車両の内部に搬入する（搬入工程）。以上の工程群を経て、血液浄化装置２００を搬送具１とともに車両に搬入することが可能となる。
【００４３】
続いて、本実施形態に係る搬送具１を用いて、血液浄化装置２００を車両から搬出する方法について説明する。
【００４４】
まず、搬送具１の脚部材２０を車両から搬出して床面又は地面に配置する（脚部材配置工程）。次いで、横倒し状態の血液浄化装置２００とともに車両の荷台から装置載置部材１０を引き出し、図８に示すように、脚部材２０の軸受部２２に装置載置部材１０の軸部１３を支持させる（軸部支持工程）。
【００４５】
次いで、横倒し状態の装置載置部材１０の背板部１２及び底板部１１を、図７及び図６に示すように軸部１３を中心に一体的に回動させて、図５に示すように血液浄化装置２００を立位状態とするとともに底板部１１を床面又は地面に着地させる（回動工程）。その後、装置載置部材１０の底板部に載置されている立位状態の血液浄化装置２００を床面又は地面へと引き出す（搬出工程）。以上の工程群を経て、血液浄化装置２００を車両から搬出することが可能となる。
【００４６】
以上説明した実施形態に係る搬送具１を採用すると、比較的重量の大きい血液浄化装置２００の車両に対する搬入・搬出を、きわめて安全かつ容易に実現させることができる。血液浄化装置２００を車両に搬入する際には、立位状態の装置載置部材１０の軸部１３を脚部材２０の軸受部２２に支持させて搬送具１を組み立てた後、立位状態の血液浄化装置２００を装置載置部材１０の底板部１１に乗り上げさせるとともに背板部１２に当接させ、軸部１３を中心に装置載置部材１０の背板部１２及び底板部１１を一体的に回動させて立位状態の血液浄化装置２００を横倒し状態とする。この際、大重量の血液浄化装置２００を脚部材２０で支持しながら梃子の原理で簡単に傾けて横倒しにすることができるので、使用者への負荷が軽減される。次いで、横倒し状態の装置載置部材１０の背板部１２の頂部を車両の荷台に当接させ、この頂部を支点として装置載置部材１０の底板部１１を上方に持ち上げて装置載置部材１０の軸部１３を脚部材２０の軸受部２２から分離させ、装置載置部材１０及び血液浄化装置２００を一体的にスライドさせて車両の内部に押し込む。続いて、脚部材２０を車両に別途搬入する。このようにして、血液浄化装置２００を安全かつ容易に車両に搬入することができる。一方、血液浄化装置２００を車両から搬出する際には、脚部材２０を車両から取り出して床面又は地面に設置し、横倒し状態の血液浄化装置２００とともに車両から装置載置部材１０を引き出し、脚部材２０の軸受部２２に装置載置部材１０の軸部１３を支持させる。この際、大重量の血液浄化装置２００を脚部材２０によって支持させることができるので、使用者への負荷が軽減される。次いで、横倒し状態の装置載置部材１０の背板部１２及び底板部１１を軸部１３を中心に一体的に回動させて横倒し状態の血液浄化装置２００を立位状態とするとともに底板部１１を床面又は地面に着地させる。続いて、装置載置部材１０の底板部１１に載置されている立位状態の血液浄化装置２００を床面又は地面へと引き出す。このようにして、血液浄化装置２００を安全かつ容易に車両から搬出することができる。
【００４７】
また、以上説明した実施形態に係る搬送具１においては、装置載置部材１０の底板部１１に溝状のキャスタ走行部１１ａ、１１ｂが設けられているので、底板部１１に立位状態の血液浄化装置２００を乗り上げさせる際に、キャスタ走行部によって血液浄化装置２００のキャスタ２１０の走行状態を安定させることができる。また、乗り上げ後においても、キャスタ走行部１１ａ、１１ｂにより、血液浄化装置２００のキャスタ２１０の横移動が阻止される。この結果、立位状態の血液浄化装置２００を、装置載置部材１０の底板部１１に安定した状態で乗せ続けることができる。
【００４８】
また、以上説明した実施形態に係る搬送具１においては、装置載置部材１０の背板部１２を構成するフレーム部１２ａの湾曲状部分１２ａＣが内側（底板部１１側）に傾斜しているので、血液浄化装置２００の搬入時に、装置載置部材１０の背板部１２が車両の荷台に引っ掛かることを防止することができ、血液浄化装置２００及び装置載置部材１０を車両の荷台上で容易にスライドさせることが可能となる。
【００４９】
また、以上説明した実施形態に係る搬送具１においては、脚部材２０の軸受部２２を構成する左右一対の軸受部材２２ａ、２２ｂ間の間隔を、間隔維持部材２３により一定に維持することができる。従って、装置載置部材１０の軸部１３（左右一対の短柱部材１３ａ、１３ｂ）を脚部材２０の軸受部２２（左右一対の軸受部材２２ａ、２２ｂ）で安定的に支持することが可能となる。
【００５０】
また、以上説明した実施形態に係る搬送具１においては、緊縛用バンドを用いて装置載置部材１０に血液浄化装置２００を縛り付けることができるので、立位状態から横倒し状態への移行時や横倒し状態から立位状態への移行時において、血液浄化装置２００が装置載置部材１０から離れて落下したり転倒したりすることを防止することができる。
【００５１】
＜第二実施形態＞
次に、図９〜図１３を用いて、本発明の第二実施形態に係る搬送具１Ａについて説明する。本実施形態に係る搬送具１Ａは、装置載置部材及び脚部材に折り畳み機構を設けたものであり、第一実施形態に係る搬送具１と多くの共通の構成を有している。従って、変更した構成についてのみ説明することとし、重複する構成については第一実施形態と同一の符号を付して説明を省略する。
【００５２】
本実施形態に係る搬送具１Ａは、図９〜図１１に示すように、血液浄化装置を載置させる装置載置部材１０Ａと、装置載置部材１０Ａを回動自在に支持する脚部材２０Ａと、を備えている。
【００５３】
装置載置部材１０Ａは、図９及び図１０に示すように、底板部１１Ａと、底板部１１Ａに対して略垂直に接合された背板部１２Ａと、背板部１２Ａに取り付けられた軸部１３（左右一組の短柱部材１３ａ、１３ｂ）と、を有している。装置載置部材１０Ａは、底板部１１Ａが床面又は地面に配置された際に背板部１２Ａが略鉛直方向に延在し軸部１３が床面又は地面から所定高さの位置に配置された立位状態をとる。そして、装置載置部材１０Ａは、このような立位状態をとるときに、底板部１１Ａに載置された立位状態の血液浄化装置を背板部１２Ａに当接させることを可能とする。なお、装置載置部材１０Ａの軸部１３（左右一組の短柱部材１３ａ、１３ｂ）は、第一実施形態と実質的に同一であるので、詳細な説明を省略する。
【００５４】
装置載置部材１０Ａの底板部１１Ａは、第一実施形態における底板部１１とほぼ共通の構成を有している。本実施形態における底板部１１Ａは、後述する接合部ヒンジ機構を介して、背板部１２Ａに対して回動可能に連結されている。このため、底板部１１Ａは、図１３（Ａ）に示すように背板部１２Ａに対して折り畳み可能となっている。また、本実施形態における底板部１１Ａの背板部１２Ａとの接合部近傍には、図１０（Ｂ）に示すように角部を斜めに切り欠いた切欠き部１１Ａａが設けられている。切欠き部１１Ａａは、図１２に示すように装置載置部材１０Ａを軸部１３を中心に一体的に回動させる際に、床面又は地面との干渉を低減させるように機能するものである。
【００５５】
本実施形態における底板部１１Ａの裏面には、図１０（Ａ）、（Ｂ）に示すように、２本の棒状の把持部１１Ａｂが設けられている。把持部１１Ａｂは、図１２に示すように立位状態の装置載置部材１０Ａを軸部１３を中心に一体的に回動させて横倒し状態とする際又は横倒し状態の装置載置部材１０Ａを軸部１３を中心に一体的に回動させて立位状態とする際に使用者によって把持される部分である。
【００５６】
装置載置部材１０Ａの背板部１２Ａは、図９及び図１０に示すように、３本の柱状部材（１２ＡａＨ、１２ＡａＶ）を接合してコ字状に構成したフレーム部１２Ａａと、フレーム部１２Ａａの相互に平行な２本の垂直柱状部材１２ＡａＶに掛け渡される複数（２枚）の板状部１２Ａｂと、を有している。背板部１２Ａを構成するフレーム部１２Ａａ及び板状部１２Ａｂは、アルミニウム等の金属材料や樹脂材料から構成することができる。
【００５７】
背板部１２Ａのフレーム部１２Ａａを構成する水平柱状部材１２ＡａＨは、底板部１１Ａに平行に配置された状態で底板部１１Ａの１辺にヒンジ１４を介して回動可能に連結されている。また、フレーム部１２Ａａを構成する垂直柱状部材１２ＡａＶは、水平柱状部材１２ＡａＨに対して略直角に配置された状態で、その端部が水平柱状部材１２ＡａＨに剛接合される。これにより、コ字状のフレーム部１２Ａａが形成される。また、フレーム部１２Ａａの垂直柱状部材１２ＡａＶと底板部１１Ａとの間には連結部材１５が配置されている。連結部材１５は、図１０（Ｂ）に示すように、２つの部材が回動軸１５ａを介して回動可能に連結されて構成されたものであり、一方の端部はフレーム部１２Ａａの垂直柱状部材１２ＡａＶに回動軸１５ｂを介して回動可能に接続され、他方の端部は底板部１１Ａに回動軸１５ｃを介して回動可能に接続されている。背板部１２Ａは、このような連結部材１５及びヒンジ１４から構成される接合部ヒンジ機構により、図１３（Ａ）に示すように底板部１１Ａに対して折り畳み可能とされている。接合部ヒンジ機構（ヒンジ１４及び連結部材１５）は、本発明における折り畳み機構に相当するものである。
【００５８】
また、背板部１２Ａのフレーム部１２Ａａを構成する２本の柱状部材１２ＡａＶは、図１０（Ａ）に示すように、２つの部材が背板部ヒンジ機構１６を介して回動可能に連結されて構成されたものである。背板部１２Ａは、このような背板部ヒンジ機構１６で折り畳まれることにより、図１３（Ａ）に示すように二つ折り状態となることが可能である。背板部ヒンジ機構１６は、本発明における折り畳み機構に相当するものである。
【００５９】
背板部１２Ａのフレーム部１２Ａａを構成する垂直柱状部材１２ＡａＶの底板部１１Ａ側と反対側の端部は、底板部１１Ａから最も離隔した頂部となっている。このような垂直柱状部材１２ＡａＶの端部（頂部）は、図１０（Ｂ）に示すように、先端になるに従ってその幅が漸次小さくなるように形成されており、側面視で滑らかな曲線を描く湾曲面１７を有している。これにより、装置載置部材１０Ａが図１２に示すように回動して横倒し状態とされた際に背板部１２Ａのフレーム１２Ａａの湾曲面１７が車両の荷台に接触し、装置載置部材１０Ａを血液浄化装置とともに車両の内部に押し込む際に荷台との干渉を低減させることができる。
【００６０】
脚部材２０Ａは、図９及び図１１に示すように、間隔をおいて相互に平行に配置された三角形状の左右一組のフレーム部２１Ａａ、２１Ａｂを有している。各フレーム部２１Ａａ、２１Ａｂの上部（頂部）には、装置載置部材１０Ａの軸部１３（左右一組の短柱部材１３ａ、１３ｂ）を分離可能及び回動可能に支持する軸受部２２（左右一組の軸受部材２２ａ、２２ｂ）が設けられている。脚部材２０Ａは、第一実施形態と同様の間隔維持部材２３を有している。また、脚部材２０Ａの左右のフレーム部２１Ａａ、２１Ａｂの間には、これらフレーム間の間隔を維持し脚部材２０Ａ全体を補強するように斜めに架け渡された補強部材２３Ａが設けられている。補強部材２３Ａはフレーム部２１Ａａ、２１ｂから取り外し自在とされている。
【００６１】
脚部材２０Ａは、図９に示すように、立位状態の装置載置部材１０Ａの軸部１３を軸受部２２で支持する。そして、脚部材２０Ａは、図１２に示すように、立位状態の装置載置部材１０Ａの背板部１２Ａ及び底板部１１Ａを軸部１３を中心に一体的に回動させて横倒し状態とする一方、横倒し状態の装置載置部材１０Ａの背板部１２Ａ及び底板部１１Ａを軸部１３を中心に一体的に回動させて立位状態とすることを可能とする。
【００６２】
脚部材２０Ａの左右のフレーム部２１Ａａ、２１Ａｂは、図１１（Ｃ）に示すように、平面視矩形状の板部材２４に脚部ヒンジ機構２５を介して回動可能に接続されている。脚部材２０Ａは、このような脚部ヒンジ機構２５で折り畳まれることにより、図１３（Ｂ）、（Ｃ）に示すように容積が縮小された三つ折り状態となることが可能である。脚部ヒンジ機構２５は、本発明における折り畳み機構に相当するものである。
【００６３】
なお、第二実施形態においては、折り畳み機構の例として、背板部１２Ａを二つ折り可能とする背板部ヒンジ機構１６と、背板部１２Ａを底板部１１に対して折り畳み可能とする接合部ヒンジ機構（ヒンジ１４及び連結部材１５）と、脚部材２０Ａを三つ折り可能とする脚部ヒンジ機構２５と、を採用した例を示したが、折り畳み機構の構成はこれに限られるものではない。
【００６４】
以上の各実施形態においては、軸部を装置載置部材に取り付け、軸受部を脚部材に設けた搬送具（本発明に係る第一の搬送具）を例示したが、軸受部を装置載置部材に設け、この軸受部を分離可能及び回動可能に支持する軸部を脚部材に取り付けた搬送具（本発明に係る第二の搬送具）を採用することもできる。
【００６５】
例えば、脚部材の軸部を、各フレーム部の上部から各々左右外方に延在するように略一直線上に設けられた左右一組の短柱部材から構成し、脚部材が床面又は地面に設置された際に床面又は地面から所定の高さの位置で水平軸を形成することができる。そして、装置載置部材の軸受部を、背板部の左右側部に設けられて各短柱部材によって支持される左右一組の軸受部材から構成することができる。このような構成を有する搬送具を用いた場合においても、第一実施形態と同様の手順で、血液浄化装置２００を車両に搬入したり車両から搬出したりすることができる。
【符号の説明】
【００６６】
１・１Ａ…搬送具
１０・１０Ａ…装置載置部材
１１・１１Ａ…底板部
１１ａ・１１ｂ…キャスタ走行部
１１Ａａ…切欠き部
１１Ａｂ…把持部
１２・１２Ａ…背板部
１２ａＣ…湾曲状部分（頂部）
１７…湾曲面（頂部）
１３…軸部
１３ａ・１３ｂ…短柱部分
１４…ヒンジ（折り畳み機構）
１５…連結部材（折り畳み機構）
１６…背板部ヒンジ機構（折り畳み機構）
２０・２０Ａ…脚部材
２０ａ・２０ｂ・２１Ａａ・２１Ａｂ…フレーム部
２２…軸受部
２２ａ・２２ｂ…軸受部材
２３…間隔維持部材
２５…脚部ヒンジ機構（折り畳み機構）
２００…血液浄化装置
２１０…キャスタ
ＡH…水平軸
Ｆ…床面
【図１】
2012081128.tif 000003
【図２】
2012081128.tif 000004
【図３】
2012081128.tif 000005
【図４】
2012081128.tif 000006
【図５】
2012081128.tif 000007
【図６】
2012081128.tif 000008
【図７】
2012081128.tif 000009
【図８】
2012081128.tif 000010
【図９】
2012081128.tif 000011
【図１０】
2012081128.tif 000012
【図１１】
2012081128.tif 000013
【図１２】
2012081128.tif 000014
【図１３】
2012081128.tif 000015
【図１４】
2012081128.tif 000016
【図１５】
2012081128.tif 000017